【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
取得したソースコードに従って、値を入力するフォーム及び当該フォームに入力された値の処理を行うボタンを含む画面を表示する情報処理装置であって、
前記取得したソースコードの中から、値を入力するフォームと当該フォームに入力された値の処理を行うボタンとの関係を取得する取得手段と、
前記取得手段で値を入力するフォームとの関係が取得された当該フォームに入力された値の処理を行うボタンを、当該フォームと共に画面内に表示出来ない場合も、当該フォームと共に画面内に表示させるように表示制御する表示制御手段と、
を備えることを特徴とする情報処理装置。
【請求項２】
前記取得手段で取得した、前記値を入力するフォームと当該フォームに入力された値の処理を行うボタンとの関係に基づき、前記フォームに入力された値の処理を行うボタンの識別表示子を、前記取得したソースコードに埋め込む識別子埋込手段と、
を更に備え、
前記表示制御手段が、前記関係が取得された当該フォームに入力された値の処理を行うボタンを当該フォームと共に画面内に表示させるように表示制御する場合に、前記識別子埋込手段によって埋め込まれた前記識別表示子を用いて前記関係が取得された当該フォームに対応するボタンを特定することを特徴とする請求項１に記載の情報処理装置。
【請求項３】
前記取得手段で取得した、前記値を入力するフォームと当該フォームに入力された値の処理を行うボタンとの関係を対応テーブルに登録する登録手段と、
を更に備え、
前記表示制御手段が、前記関係が取得された当該フォームに入力された値の処理を行うボタンを当該フォームと共に画面内に表示させるように表示制御する場合に、前記対応テーブルを用いて前記関係が取得された当該フォームに対応するボタンを特定することを特徴とする請求項１または請求項２に記載の情報処理装置。
【請求項４】
前記表示制御手段が、前記関係が取得された当該フォームに入力された値の処理を行うボタンを当該フォームと共に画面内に表示させるように表示制御する場合に、前記関係が取得された当該フォームに入力された値の処理を行うボタンを強調表示することを特徴とする請求項１乃至３のいずれか１項に記載の情報処理装置。
【請求項５】
取得したソースコードに従って、コンテンツに対する処理を行うボタンを含む画面を表示する情報処理装置であって、
前記取得したソースコードの中から、コンテンツに対する処理を行うボタンを取得する取得手段と、
前記コンテンツに対する処理を行う複数のボタンが画面内にまとめて表示出来ない場合も、当該複数のボタンをまとめて画面内に表示させるように表示制御する表示制御手段と、
を備えることを特徴とする情報処理装置。
【請求項６】
取得したソースコードに従って、値を入力するフォーム及び当該フォームに入力された値の処理を行うボタンを含む画面を表示する情報処理装置の制御方法であって、
前記情報処理装置の取得手段が、前記取得したソースコードの中から、値を入力するフォームと当該フォームに入力された値の処理を行うボタンとの関係を取得する取得工程と、
前記情報処理装置の表示制御手段が、前記取得手段で値を入力するフォームとの関係が取得された当該フォームに入力された値の処理を行うボタンを、当該フォームと共に画面内に表示出来ない場合も、当該フォームと共に画面内に表示させるように表示制御する表示制御工程と、
を含むことを特徴とする制御方法。
【請求項７】
取得したソースコードに従って、値を入力するフォーム及び当該フォームに入力された値の処理を行うボタンを含む画面を表示する情報処理装置で読み取り実行可能なプログラムであって、
前記情報処理装置を、
前記取得したソースコードの中から、値を入力するフォームと当該フォームに入力された値の処理を行うボタンとの関係を取得する取得手段と、
前記取得手段で値を入力するフォームとの関係が取得された当該フォームに入力された値の処理を行うボタンを、当該フォームと共に画面内に表示出来ない場合も、当該フォームと共に画面内に表示させるように表示制御する表示制御手段と、
して機能させるためのプログラム。
【請求項８】
取得したソースコードに従って、コンテンツに対する処理を行うボタンを含む画面を表示する情報処理装置の制御方法であって、
前記情報処理装置の取得手段が、前記取得したソースコードの中から、コンテンツに対する処理を行うボタンを取得する取得工程と、
前記情報処理装置の表示制御手段が、前記コンテンツに対する処理を行う複数のボタンが画面内にまとめて表示出来ない場合も、当該複数のボタンをまとめて画面内に表示させるように表示制御する表示制御工程と、
を含むを特徴とする制御方法。
【請求項９】
取得したソースコードに従って、コンテンツに対する処理を行うボタンを含む画面を表示する情報処理装置で読み取り実行可能なプログラムであって、
前記情報処理装置を、
前記取得したソースコードの中から、コンテンツに対する処理を行うボタンを取得する取得手段と、
前記コンテンツに対する処理を行う複数のボタンが画面内にまとめて表示出来ない場合も、当該複数のボタンをまとめて画面内に表示させるように表示制御する表示制御手段と、
して機能させるためのプログラム。
【手続補正２】
【補正対象書類名】明細書
【補正対象項目名】発明の名称
【補正方法】変更
【補正の内容】
【発明の名称】情報処理装置、その制御方法とプログラム
【手続補正３】
【補正対象書類名】明細書
【補正対象項目名】００１４
【補正方法】変更
【補正の内容】
【００１４】
情報処理装置の表示画面で、すべてのＷｅｂページのコンテンツを一度に表示しきれない場合、コンテンツに対応する処理を行うボタンの部分だけでも表示することにより、コンテンツを閲覧しながら、コンテンツに対する処理が容易に行えることが望まれる。
【手続補正４】
【補正対象書類名】明細書
【補正対象項目名】００１５
【補正方法】変更
【補正の内容】
【００１５】
本発明は、すべてのＷｅｂページのコンテンツを一度に表示しきれない場合も、コンテンツを閲覧しながら、コンテンツに対する処理が容易に行える仕組みを提供することを目的とする。
【手続補正５】
【補正対象書類名】明細書
【補正対象項目名】００１６
【補正方法】変更
【補正の内容】
【００１６】
本発明は、取得したソースコードに従って、値を入力するフォーム及び当該フォームに入力された値の処理を行うボタンを含む画面を表示する情報処理装置であって、前記取得したソースコードの中から、値を入力するフォームと当該フォームに入力された値の処理を行うボタンとの関係を取得する取得手段と、前記取得手段で値を入力するフォームとの関係が取得された当該フォームに入力された値の処理を行うボタンを、当該フォームと共に画面内に表示出来ない場合も、当該フォームと共に画面内に表示させるように表示制御する表示制御手段と、を備えることを特徴とする。
本発明は、取得したソースコードに従って、コンテンツに対する処理を行うボタンを含む画面を表示する情報処理装置であって、前記取得したソースコードの中から、コンテンツに対する処理を行うボタンを取得する取得手段と、前記コンテンツに対する処理を行う複数のボタンが画面内にまとめて表示出来ない場合も、当該複数のボタンをまとめて画面内に表示させるように表示制御する表示制御手段と、を備えることを特徴とする。
【手続補正６】
【補正対象書類名】明細書
【補正対象項目名】００１６
【補正方法】変更
【補正の内容】
【００１６】
本発明により、すべてのＷｅｂページのコンテンツを一度に表示しきれない場合も、コンテンツを閲覧しながら、コンテンツに対する処理が容易に行える仕組みを提供することが可能となる。